(57)【要約】【課題】夜間などの十分な照度を得ることが困難な状況で車両事故を起こした場合でも、認識可能な事故後の映像情報を記録することが可能なドライブレコーダを提供する。【解決手段】このドライブレコーダ３０は、車両１００の外部状況を撮像するカメラ１と、車両事故の発生を検出する事故検出部１２と、車両周辺の明るさを検出する照度センサ２と、事故検出部１２により検出された車両事故の発生後において、照度センサ２で検出された車両周辺の明るさが所定の値以下の場合に、カメラ１によって撮像する場所を照らす照明ライト３およびストロボライト４と、事故発生時の前後を含む所定時間の間にカメラ１により撮像された映像情報を記録する不揮発性メモリ１５とを備えている。【選択図】図１
2009290462.tif 000002
【特許請求の範囲】
【請求項１】
車両の外部状況を撮像する撮像部と、
車両事故の発生を検出する事故検出部と、
車両周辺の明るさを検出する照度センサと、
前記事故検出部により検出された車両事故の発生後において、前記照度センサで検出された車両周辺の明るさが所定の値以下の場合に、前記撮像部によって撮像する場所を照らす照明部と、
事故発生時の前後を含む所定時間の間に前記撮像部により撮像された映像情報を記録する記録部とを備えることを特徴とする、ドライブレコーダ。
【請求項２】
前記照明部に電力を供給する電源部をさらに備えることを特徴とする、請求項１に記載のドライブレコーダ。
【請求項３】
前記電源部は、充電池を含むことを特徴とする、請求項２に記載のドライブレコーダ。
【請求項４】
前記照明部は、照明ライトを含むことを特徴とする、請求項１〜３のいずれか１項に記載のドライブレコーダ。
【請求項５】
前記電源部から前記照明部に電力が供給される場合には、前記照明ライトが間欠的に発光されることを特徴とする、請求項４に記載のドライブレコーダ。
【請求項６】
前記照明部は、所定の間隔でストロボ発光するストロボライトを含むことを特徴とする、請求項１〜５のいずれか１項に記載のドライブレコーダ。
【請求項７】
前記事故検出部は、車両に加わる衝撃に基づいて車両事故の発生を検出することを特徴とする、請求項１〜６のいずれか１項に記載のドライブレコーダ。
【発明の詳細な説明】
【技術分野】
【０００１】
本発明は、車両に搭載され、たとえば、事故に遭ったときの状況を記録するドライブレコーダに関する。
【背景技術】
【０００２】
近年、タクシーやトラックなどの営業車両を中心に、車両へのドライブレコーダの搭載が拡大している。このドライブレコーダは、事故発生時の状況を記録することで、事故の発生原因をより明確にするための装置である。
【０００３】
ドライブレコーダは、車両事故（衝突等）が発生した時点を基準に、その前後数秒から数十秒程度の所定時間における車両の各種データを記録する。記録するデータとしては、たとえば、車速、加速度、ブレーキ圧、ハンドル舵角などがある。
【０００４】
また、従来、車両周辺状況を撮影するカメラを有し、事故発生時前後の車両周辺状況の映像データ（映像情報）を記録する映像記録機能を備えたドライブレコーダが知られている。このようなドライブレコーダでは、事故発生時前後の情報を映像で記録することによって、目撃者がいないことも多い交通事故において、正確に事故の原因を究明することが可能となる。なお、このような映像記録機能を備えたドライブレコーダは、たとえば、特許文献１に記載されている。
【特許文献１】特開２００７−３１１９０４号公報
【発明の開示】
【発明が解決しようとする課題】
【０００５】
一方、交通事故などの車両事故は、夜間などの時間帯に発生する場合が多い。車両事故が発生した場合には、車両が破損していることが当然考えられ、この際、車両のヘッドライトなどが破損した場合には、事故発生現場周辺の明るさが映像情報を記録するには不十分な明るさとなるおそれがある。そして、このような状況になった場合、上記した従来のドライブレコーダでは、十分に認識可能な事故後の映像情報を記録することが困難になるという問題点がある。
【０００６】
この発明は、上記のような課題を解決するためになされたものであり、この発明の１つの目的は、夜間などの十分な照度を得ることが困難な状況で車両事故を起こした場合でも、認識可能な事故後の映像情報を記録することが可能なドライブレコーダを提供することである。
【課題を解決するための手段】
【０００７】
上記目的を達成するために、この発明の一の局面によるドライブレコーダは、車両の外部状況を撮像する撮像部と、車両事故の発生を検出する事故検出部と、車両周辺の明るさを検出する照度センサと、事故検出部により検出された車両事故の発生後において、照度センサで検出された車両周辺の明るさが所定の値以下の場合に、撮像部によって撮像する場所を照らす照明部と、事故発生時の前後を含む所定時間の間に撮像部により撮像された映像情報を記録する記録部とを備えている。
【０００８】
この一の局面によるドライブレコーダでは、上記のように、事故検出部により検出された車両事故の発生後において、照度センサで検出された車両周辺の明るさが所定の値以下の場合に、撮像部によって撮像する場所を照らす照明部を備えることによって、車両事故によりヘッドライトなどが破損した場合でも、上記照明部を発光させることによって、周囲の状況を認識できる程度の照度を得ることができる。これにより、夜間などの十分な照度を得ることが困難な状況で車両事故を起こした場合でも、認識可能な事故後の映像情報を記録することができる。
【０００９】
上記一の局面によるドライブレコーダにおいて、好ましくは、照明部に電力を供給する電源部をさらに備えている。このように構成すれば、車両バッテリーから電源を確保している場合に、車両事故により車両バッテリーが損傷した場合でも、上記電源部から照明部に電力を供給することができるので、認識可能な事故後の映像情報を確実に記録することができる。なお、上記電源部は、ドライブレコーダを動作させるための電源として用いてもよい。また、ドライブレコーダを動作させるための電源を上記電源部とは別に備えていてもよい。
【００１０】
この場合において、電源部は、充電池から構成されているのが好ましい。このように構成すれば、車両バッテリーにドライブレコーダを接続することによって、通常の車両運転時に、車両バッテリーから充電池に電源を供給することができるので、上記充電池を常に満充電状態にしておくことができる。
【００１１】
上記一の局面によるドライブレコーダにおいて、前記照明部は、照明ライトを含むように構成されていてもよい。
【００１２】
この場合において、好ましくは、電源部から照明部に電力が供給される場合には、照明ライトが間欠的に発光される。このように構成すれば、照明ライトを所定の間隔で間欠的に発光させることによって、照明ライトの発光に伴う電力消費を抑制することができるので、電源部から供給される電力を用いて、周囲の状況が十分に認識可能な明るさの光量で照明部を発光させることができる。また、上記のように構成することによって、電源部の小型軽量化を図ることができる。これにより、ドライブレコーダを安価に製造することができる。
【００１３】
上記一の局面によるドライブレコーダにおいて、好ましくは、前記照明部は、所定の間隔でストロボ発光するストロボライトを含む。このように構成すれば、照明部を所定の間隔でストロボ発光させることによって、照明部の発光に伴う電力消費をより抑制することができるので、電源部から供給される電力を用いて、容易に、周囲の状況が十分に認識可能な明るさの光量で照明部を発光させることができる。また、上記のように構成することによって、容易に、電源部の小型軽量化を図ることができる。これにより、ドライブレコーダをより安価に製造することができる。
【００１４】
上記一の局面によるドライブレコーダにおいて、事故検出部は、車両に加わる衝撃に基づいて車両事故の発生を検出するように構成することができる。
【発明の効果】
【００１５】
以上のように、本発明によれば、夜間などの十分な照度が得られない場合であっても、認識可能な事故後の映像情報を記録することが可能なドライブレコーダを容易に得ることができる。
【発明を実施するための最良の形態】
【００１６】
以下、本発明を具体化した実施形態を図面に基づいて詳細に説明する。
【００１７】
図１は、本発明の一実施形態によるドライブレコーダを示した図である。図２は、本発明の一実施形態によるドライブレコーダのブロック図である。なお、図１では、ドライブレコーダを車両に搭載した状態で示している。まず、図１および図２を参照して、本発明の一実施形態によるドライブレコーダ３０の構造について説明する。
【００１８】
一実施形態によるドライブレコーダ３０は、図１に示すように、車両１００の外部状況を撮像するカメラ１を備えている。このドライブレコーダ３０は、ドライブレコーダ本体に上記カメラ１が内蔵されたカメラ・本体一体型構造を有している。
【００１９】
また、一実施形態によるドライブレコーダ３０は、図２に示すように、予め定めたプログラムに従って各種の処理や制御などを行う中央演算処理装置（ＣＰＵ）１０と、上記プログラム等を格納した読み出し専用のメモリであるＲＯＭ１１と、車両事故の発生を検出する事故検出部１２と、上記カメラ１からの映像信号を処理する映像信号処理部１３と、カメラ１で撮像された映像を記録するメモリ１４と、事故発生時において事故発生時前後の記録映像を保存する不揮発性メモリ１５と、各回路に電力を供給する電源回路部１６と、車両バッテリー１２０に接続される電源ケーブル２５とを備えている。なお、カメラ１は、本発明の「撮像部」の一例であり、不揮発性メモリ１５は、本発明の「記録部」の一例である。
【００２０】
ここで、本実施形態では、ドライブレコーダ３０は、本体に、車両周辺の明るさを検出する照度センサ２と、照明ライト３およびストロボライト４と、ストロボ発光回路部１７と、照明ライト３のオン／オフを切り替える切替スイッチ１８と、電源電圧検出回路部１９と、充電池２０および充電回路部２１とをさらに備えている。なお、照明ライト３およびストロボライト４は、それぞれ、本発明の「照明部」の一例であり、充電池２０は、本発明の「電源部」の一例である。
【００２１】
また、図１に示すように、ドライブレコーダ３０は、車両１００のフロントガラスの内面に対し、運転者の視界を妨げないように、たとえば、ルームミラー１１０の近傍等に取り付けられる。このとき、ドライブレコーダ３０は、本体に内蔵されたカメラ１が、車両１００の前方の映像を撮像することが可能に設置される。そして、車両バッテリー１２０（図２参照）から電源を確保するために、車両１００のシガーライターソケット１３０に電源ケーブル２５の一端が挿入される。
【００２２】
また、図２に示すように、ＲＯＭ１１は、マスクＲＯＭ、ＥＥＰＲＯＭ又はフラッシュメモリなどから構成されており、ＣＰＵ１０に接続されている。このＲＯＭ１１には、ドライブレコーダ３０の各種動作を制御するためのプログラムが記憶されており、このプログラムがＣＰＵ１０に読み込まれることによって、ＣＰＵ１０による各種動作およびデータ処理に関する制御が行われる。
【００２３】
事故検出部１２は、加速度センサ（図示せず）等を含んでいる。この加速度センサは、たとえば、３軸（Ｘ軸、Ｙ軸、Ｚ軸）方向の加速度・傾き、衝撃等を検出する３軸加速度センサなどから構成されており、急制動や急ハンドル、衝突などによって車両１００に加わる加速度を検出する。また、事故検出部１２は、加速度センサによって検出された加速度から事故発生を検出する。この事故検出部１２は、たとえば、０．４Ｇ以上の衝撃（加速度）を検出した場合に、事故発生と認識し、事故検出信号をＣＰＵ１０に出力する。
【００２４】
外部状況の撮像を行うカメラ１は、ＣＣＤイメージセンサまたはＣＭＯＳイメージセンサなどの撮像素子（図示せず）、および、この撮像素子に光を集光するレンズ（図示せず）などから構成されており、たとえば、１秒間に３０回程度の頻度で撮像を行う。また、カメラ１のレンズには、広い画角（たとえば、横方向１０７°、縦方向７９°）を有する広角レンズなどが用いられており、広範囲の映像を撮像可能に構成されている。また、カメラ１は、上述したように、車両１００の前方の映像を撮像可能に設置されており、車両１００の前方映像を常時撮像している。このカメラ１は、映像信号処理部１３に接続されており、カメラ１で撮像した撮像画像を映像信号として、映像信号処理部１３に出力する。
【００２５】
映像信号処理部１３は、上記メモリ１４を含んでおり、カメラ１から出力された映像信号によって、カメラ１で撮像された映像をメモリ１４に記録する。このメモリ１４は、ＳＲＡＭまたはＤＲＡＭなどにより構成されており、カメラ１から出力された映像信号（画像）を所定時間、映像情報として記録する。この場合、所定時間経過した映像情報は新たに与えられた映像信号に上書きされる。また、映像信号処理部１３は、ＣＰＵ１０に接続されており、ＣＰＵ１０からの指示によって、メモリ１４に記録されている映像情報を不揮発性メモリ１５に保存する。
【００２６】
不揮発性メモリ１５は、フラッシュメモリなどから構成されており、映像信号処理部１３に接続されている。この不揮発性メモリ１５は、事故発生時において、メモリ１４に記録された事故発生時前後の映像情報を保存（記録）する機能を有している。事故発生時前後の映像情報は、たとえば、事故前１２秒間と事故後８秒間の計２０秒間の映像情報が不揮発性メモリ１５に保存される。
【００２７】
照度センサ２は、車両１００の前方の照度を検出する。この照度センサ２は、ＣＰＵ１０に接続されており、検出した照度を照度検出信号としてＣＰＵ１０に出力する。
【００２８】
照明ライト３は、照度センサ２で検出された車両前方の照度が所定の値よりも小さい場合に、車両前方を照らすために設けられている。この照明ライト３は、切替スイッチ１８を介して、電源回路部１６に接続されており、切替スイッチ１８は、ＣＰＵ１０に接続されている。そして、ＣＰＵ１０からの指示（オン／オフ切替信号）により、照明ライト３のオン／オフが切り替えられる。また、切替スイッチ１８は、ＣＰＵ１０からの指示（オン／オフ切替信号）より、照明ライト３を所定の間隔（たとえば、０．５秒〜１秒）で間欠的に発光させることが可能に構成されている。
【００２９】
ストロボライト４も、上記照明ライト３と同様、照度センサ２で検出された車両前方の照度が所定の値よりも小さい場合に、車両前方を照らすために設けられている。このストロボライト４は、ストロボ発光回路部１７を介して、電源回路部１６に接続されており、ストロボ発光回路部１７は、ＣＰＵ１０に接続されている。そして、ＣＰＵ１０からの指示（ストロボ発光回路制御信号）により、ストロボライト４を所定の間隔（たとえば、０．５秒〜１秒）でストロボ発光させることが可能に構成されている。
【００３０】
なお、上記照明ライト３および上記ストロボライト４は、少なくとも、周囲の状況が確認できる程度の照度を得ることが可能な光量で発光可能なライトが用いられている。
【００３１】
電源電圧検出回路部１９は、車両バッテリー１２０の電圧状態を検出し、車両バッテリー１２０の電圧状態を車両バッテリー電圧検出信号としてＣＰＵ１０に出力する。
【００３２】
充電池２０は、ニッケル水素電池やリチウムイオン電池などの二次電池等から構成されており、電源回路部１６に電力を供給する。この充電池２０は、充電回路部２１を介して、車両バッテリー１２０に接続されており、通常の車両運転時に、車両バッテリー１２０によって充電池２０が充電される。これにより、充電池２０は、常に、満充電状態となっている。
【００３３】
また、ＣＰＵ１０は、事故検出部１２からの事故検出信号を受けた際に、メモリ１４に記録されている映像情報を不揮発性メモリ１５に保存させる。また、ＣＰＵ１０は、事故検出部１２からの事故検出信号を受けた際に、照度センサ２からの照度検出信号が所定の値よりも小さい場合、照明ライト３またはストロボライト４を発光させる機能等を有している。
【００３４】
図３は、本発明の一実施形態によるドライブレコーダの動作を説明するためのフローチャートである。次に、図１〜図３を参照して、本発明の一実施形態によるドライブレコーダ３０の動作について説明する。
【００３５】
電源ケーブル２５を介して電力が供給され、ＣＰＵ１０が起動されると、図３のステップＳ１０において、初期処理が実行される。初期処理が終了すると、ステップＳ２０に進み、ステップＳ２０において、カメラ１により、車両前方の映像が撮像される。そして、カメラ１から車両１００（図１参照）の前方を撮像した撮像画像が映像信号として映像信号処理部１３に出力され、撮像画像が映像情報としてメモリ１４に記録される。このメモリ１４には、映像情報が所定時間分記録され、所定時間経過した映像情報は新たに与えられた映像情報に上書きされる。
【００３６】
次に、ステップＳ３０において、事故検出部１２により、車両事故が発生したか否かが判断される。具体的には、事故検出部１２に含まれる加速度センサによって検出された加速度（衝撃）の値が所定の値（たとえば、０．４Ｇ）以上であった場合、事故発生と判断される。
【００３７】
ステップＳ３０において、事故検出部１２により、車両事故が発生していないと判断された場合には、ステップＳ２０に戻り、一連の処理（ステップＳ２０およびステップＳ３０）が繰り返される。一方、ステップＳ３０において、事故検出部１２により、車両事故が発生したと判断された場合には、事故検出部１２から事故検出信号がＣＰＵ１０に出力され、この事故検出信号をトリガとして、ＣＰＵ１０により、車両バッテリー１２０に電圧異常が有るか否かが判断される。すなわち、車両事故が発生した場合には、車両バッテリー１２０が損傷しているおそれがあるため、車両バッテリー１２０から電源を確保することができるか否かがＣＰＵ１０によって判断される。車両バッテリー１２０の電圧異常の有無は、図２に示すように、電源電圧検出回路部１９からＣＰＵ１０に出力される車両バッテリー電圧検出信号によって判断される。
【００３８】
図３のステップＳ４０において、ＣＰＵ１０により、車両バッテリー１２０に電圧異常が無い（車両バッテリー１２０の電圧が正常）と判断された場合には、車両バッテリー１２０から電源を確保することができるので、ステップＳ５０において、車両バッテリー１２０から電源供給するように電源回路部１６が切り替えられる。
【００３９】
そして、ステップＳ６０において、ＣＰＵ１０により、照度センサ２から出力された照度検出信号の値が所定の値よりも小さいか否かが判断される。すなわち、車両前方の照度ｌｘが、映像情報をカメラ１で記録するのに必要な所定の照度Ｌよりも小さいか否かが判断される。たとえば、夜間などの時間帯に事故が発生し、その事故によって車両１００のヘッドライトなどが破損した場合には、事故発生現場周辺の明るさが映像情報を記録するには不十分な明るさとなる。このため、ステップＳ６０において、事故発生後の車両周辺状況がこのような状況であるか否かが判断される。
【００４０】
ステップＳ６０において、ＣＰＵ１０により、車両前方の照度ｌｘが、上記所定の照度Ｌよりも小さいと判断された場合には、ステップＳ７０において、ＣＰＵ１０により、切替スイッチ１８がオン状態にされて、照明ライト３が連続発光される。これにより、周囲の状況を認識できる程度の照度を得ることができるので、カメラ１によって、認識可能な事故後の映像を撮像することが可能となる。その後、ステップＳ１１０に進む。
【００４１】
一方、ステップＳ６０において、車両前方の照度ｌｘが、上記所定の照度Ｌよりも大きい場合には、事故発生現場周辺の明るさが、映像情報を記録するのに十分な明るさであると判断されるため、照明ライト３を発光させることなく、ステップＳ１１０に進む。
【００４２】
また、ステップＳ４０において、ＣＰＵ１０により、車両バッテリー１２０に電圧異常が有ると判断された場合には、車両バッテリー１２０から電源を確保することが困難となるので、ステップＳ８０において、充電池２０から電源供給するように電源回路部１６が切り替えられる。
【００４３】
そして、ステップＳ９０において、上記ステップＳ５０と同様、ＣＰＵ１０により、照度センサ２から出力された照度検出信号の値が所定の値よりも小さいか否かが判断される。ステップＳ９０において、ＣＰＵ１０により、車両前方の照度ｌｘが、上記所定の照度Ｌよりも小さいと判断された場合には、充電池２０の電流消費を抑制するために、ステップＳ１００において、ＣＰＵ１０により、切替スイッチ１８が所定の間隔でオン状態とオフ状態とが切り替えられて、照明ライト３が間欠的に発光される。なお、より充電池２０の電流消費を抑制する必要がある場合には、ＣＰＵ１０により、所定の間隔で、ストロボライト４がストロボ発光される。その後、ステップＳ１１０に進む。
【００４４】
一方、ステップＳ９０において、車両前方の照度ｌｘが、上記所定の照度Ｌよりも大きい場合には、事故発生現場周辺の明るさが、映像情報を記録するのに十分な明るさであると判断されるため、照明ライト３またはストロボライト４を発光させることなく、ステップＳ１１０に進む。
【００４５】
続いて、ステップＳ１１０において、事故発生後（事故検出後）、所定時間経過後に、ＣＰＵ１０により、カメラ１による映像の撮像が停止される。具体的には、ＣＰＵ１０から映像信号処理部１３に映像処理制御信号が出力され、事故後の映像記録が停止される。その後、ステップＳ１２０に進み、ステップＳ１２０において、メモリ１４に記録された映像情報の収集が行われる。
【００４６】
そして、ステップＳ１３０において、ＣＰＵ１０により、収集した映像情報が不揮発性メモリ１５に保存される。
【００４７】
その後、ステップＳ１４０に進み、ステップＳ１４０において、ＣＰＵ１０により、終了要求を受けたか否か（終了要求有か否か）が判断される。ステップＳ１４０において、ＣＰＵ１０により、終了要求を受けていない（終了要求無）と判断された場合は、ステップＳ２０に戻り、一連の処理が繰り返される。一方、ステップＳ１４０において、ＣＰＵ１０により、終了要求を受けた（終了要求有）と判断された場合は、ドライブレコーダ３０の動作フローが終了する。
【００４８】
本実施形態では、上記のように、事故検出部１２により検出された車両事故の発生後において、照度センサ２で検出された車両周辺の明るさが所定の値Ｌ以下の場合に、カメラ１によって撮像する場所を照らす照明ライト３およびストロボライト４を備えることによって、車両事故によりヘッドライトなどが破損した場合でも、上記照明ライト３等を発光させることによって、周囲の状況を認識できる程度の照度を得ることができる。これにより、夜間などの十分な照度を得ることが困難な状況で車両事故を起こした場合でも、認識可能な事故後の映像情報を記録することができる。
【００４９】
また、本実施形態では、充電池２０をさらに備えることによって、車両事故により車両バッテリー１２０が損傷した場合でも、上記充電池２０から電力を供給することができるので、認識可能な事故後の映像情報を確実に記録することができる。
【００５０】
また、本実施形態では、充電池２０から電力が供給される場合に、照明ライト３を間欠的に発光させることによって、照明ライト３の発光に伴う電力消費を抑制することができるので、充電池２０の電流消費を抑制することができる。これにより、充電池２０から供給される電力を用いて、周囲の状況が十分に認識可能な明るさの光量で照明ライト３を発光させることができる。
【００５１】
また、本実施形態では、充電池２０から電力が供給される場合に、ストロボライト４をストロボ発光させることによって、充電池２０の電流消費をより抑制することができるので、充電池２０の電流消費をより抑制することができる。
【００５２】
なお、上記した本実施形態の構成では、照明ライト３を間欠的に発光させることによって、充電池２０の小型軽量化を図ることができる。また、ストロボライト４をストロボ発光させることによって、充電池２０の小型軽量化を図ることができる。これにより、ドライブレコーダ３０を安価に製造することができる。また、ドライブレコーダ３０自体も小型軽量化することができるので、ルームミラー１１０の近傍等に取り付けた際に、容易に、運転者の視界を妨げないようにすることができる。また、ドライブレコーダ３０を軽量化することによって、事故による衝撃によりドライブレコーダ３０が落下し、運転者などにドライブレコーダ３０が当たった場合でも、重大な怪我が生じないようにすることができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、カメラ・本体一体型構造のドライブレコーダに本発明を適用したが、本発明はこれに限らず、カメラとドライブレコーダ本体とが分離された分離型構造のドライブレコーダに本発明を適用してもよい。この場合、照明ライトおよびストロボライトは、カメラ側に搭載してもよいし、カメラとは別に、車両の所定位置に設置するようにしてもよい。
【００５５】
また、上記実施形態では、照明ライトおよびストロボライトの両方をドライブレコーダに搭載した例を示したが、本発明はこれに限らず、照明ライトおよびストロボライトのいずれか一方を搭載するようにしてもよい。
【００５６】
また、上記実施形態では、照明ライトを間欠的に発光可能に構成した例を示したが、本発明はこれに限らず、照明ライトは連続発光のみ可能に構成してもよい。この場合、充電池から電力が供給されるときには、ストロボライトをストロボ発光させるようにすればよい。
【００５７】
なお、上記実施形態において、照度センサは、カメラに取り込まれた光の光量を測定することによって、車両の前方の照度（カメラで撮像する位置の照度）を測定するように構成してもよい。
【００５８】
また、上記実施形態において、不揮発性メモリに、ＳＤカードやＣＦ（Ｃｏｍｐａｃｔ  Ｆｌａｓｈ）カードなどのメモリカードを用いるように構成することができる。
【００５９】
また、上記実施形態では、事故検出部によって車両事故を検出し、事故検出信号をＣＰＵに出力するように構成したが、本発明はこれに限らず、加速度センサからの加速度信号などを用いてＣＰＵで事故検出を行うようにしてもよい。すなわち、ＣＰＵが事故検出機能を有していてもよい。
【００６０】
また、上記実施形態において、車両前方の映像情報以外に、車速、加速度、ブレーキ圧、ハンドル舵角などの他のデータを記録可能に構成することができる。
【図面の簡単な説明】
【００６１】
【図１】本発明の一実施形態によるドライブレコーダを示した図である。
【図２】本発明の一実施形態によるドライブレコーダのブロック図である。
【図３】本発明の一実施形態によるドライブレコーダの動作を説明するためのフローチャートである。
【符号の説明】
【００６２】
１                    カメラ（撮像部）
２                    照度センサ
３                    照明ライト（照明部）
４                    ストロボライト（照明部）
１０                  ＣＰＵ
１１                  ＲＯＭ
１２                  事故検出部
１３                  映像信号処理部
１４                  メモリ
１５                  不揮発性メモリ（記録部）
１６                  電源回路部
１７                  ストロボ発光回路部
１８                  切替スイッチ
１９                  電源電圧検出回路部
２０                  充電池（電源部）
２１                  充電回路部
２５                  電源ケーブル
３０                  ドライブレコーダ
１００                車両
１１０                ルームミラー
１２０                車両バッテリー
１３０                シガーライターソケット
【図１】
2009290462.tif 000003
【図２】
2009290462.tif 000004
【図３】
2009290462.tif 000005